(57)【要約】【課題】効果的かつ簡単にＷのサブ画素の階調値を制御することのできる液晶装置を提供する。【解決手段】液晶装置は、液晶表示パネルと表示画像変換部とを備える。液晶表示パネルは、１つの表示画素が、ＲＧＢ、及び、Ｗ（透明または白色）の４つのサブ画素より構成される。表示画像変換部は、入力されたＲＧＢの画像信号を基にＷの画像信号を決定して、液晶表示パネルへ出力する。具体的には、表示画像変換部は、ＲＧＢの画像信号のうち、階調値が最小値又は中位値となる色の画像信号を用いて、Ｗの画像信号を決定する。このようにすることで、上記の液晶装置は、一般的な手法である輝度信号を求めて当該輝度信号を基にＷの色の階調値を算出する方法と比較して、表示画像変換部の回路構造又はプログラムを簡単にすることができる。【選択図】図３
2008129030.tif 000002
【特許請求の範囲】
【請求項１】
１つの表示画素が、ＲＧＢ、及び、Ｗ（透明または白色）の４つのサブ画素より構成される液晶表示パネルと、
入力されたＲＧＢの画像信号を基にＷの画像信号を決定して、前記液晶表示パネルへ出力する表示画像変換部と、を備え、
前記表示画像変換部は、前記ＲＧＢの画像信号のうち、階調値が最小値又は中位値となる色の画像信号を用いて、前記Ｗの画像信号を決定することを特徴とする液晶装置。
【請求項２】
前記表示画像変換部は、前記ＲＧＢの画像信号より求められる前記ＲＧＢの階調値のうち、最小値となる階調値を前記Ｗの階調値として設定することを特徴とする請求項１に記載の液晶装置。
【請求項３】
前記表示画像変換部は、前記ＲＧＢの画像信号より求められる前記ＲＧＢの階調値のうち、中位値となる階調値を前記Ｗの階調値として設定することを特徴とする請求項１に記載の液晶装置。
【請求項４】
前記表示画像変換部は、前記ＲＧＢの画像信号より求められる前記ＲＧＢの階調値のうち、最小値及び中位値となる階調値の間の補間値を前記Ｗの階調値として設定することを特徴とする請求項１に記載の液晶装置。
【請求項５】
前記表示画像変換部は、（前記中位値−前記最小値）×Ａ（０＜Ａ＜１）＋前記最小値の値を前記Ｗの階調値として設定することを特徴とする請求項４に記載の液晶装置。
【請求項６】
前記表示画像変換部は、Ａ＝０．５に設定されていることを特徴とする請求項５に記載の液晶装置。
【請求項７】
請求項１乃至６のいずれか一項に記載の液晶装置を表示部に備えることを特徴とする電子機器。
【請求項８】
１つの表示画素が、ＲＧＢ、及び、Ｗ（透明または白色）の４つのサブ画素より構成される液晶表示パネルと、入力されたＲＧＢの画像信号を基にＷの画像信号を決定して、前記液晶表示パネルへ出力する表示画像変換部と、を有する液晶装置の駆動方法であって、
前記表示画像変換部が、前記ＲＧＢの画像信号のうち、階調値が最小値又は中位値となる画像信号を用いて、前記Ｗの画像信号を決定する工程を備えることを特徴とする液晶装置の駆動方法。
【発明の詳細な説明】
【技術分野】
【０００１】
本発明は、各種情報の表示に用いて好適な液晶装置に関する。
【背景技術】
【０００２】
一般的な液晶装置は、白色光を出光する照明装置と、赤（Ｒ）、緑（Ｇ）、青（Ｂ）の３色のカラーフィルタとによりカラー表示を行っている。最近では、特許文献１に示すように、１つの表示画素において、Ｒ、Ｇ、Ｂの３色に加え、更に透明（Ｗ）のサブ画素を加えることで、表示画面の輝度を向上させる液晶装置が提案されている。
【０００３】
【特許文献１】特開２０００−３３０５２３号公報
【発明の開示】
【発明が解決しようとする課題】
【０００４】
しかしながら、このＷのサブ画素の階調値を制御する方法については検討が少なく、効果的かつ簡単にＷのサブ画素の階調値を制御する方法については確立されていない。
【０００５】
本発明は上記の点に鑑みてなされたものであり、効果的かつ簡単にＷのサブ画素の階調値を制御することのできる液晶装置を提供することを課題とする。
【課題を解決するための手段】
【０００６】
本発明の１つの観点では、液晶装置は、１つの表示画素が、ＲＧＢ、及び、Ｗ（透明または白色）の４つのサブ画素より構成される液晶表示パネルと、入力されたＲＧＢの画像信号を基にＷの画像信号を決定して、前記液晶表示パネルへ出力する表示画像変換部と、を備え、前記表示画像変換部は、前記ＲＧＢの画像信号のうち、階調値が最小値又は中位値となる色の画像信号を用いて、前記Ｗの画像信号を決定する。
【０００７】
上記の液晶装置は、液晶表示パネルと表示画像変換部とを備える。前記液晶表示パネルは、１つの表示画素が、ＲＧＢ、及び、Ｗ（透明または白色）の４つのサブ画素より構成される。前記表示画像変換部は、入力されたＲＧＢの画像信号を基にＷの画像信号を決定して、前記液晶表示パネルへ出力する。具体的には、前記表示画像変換部は、前記ＲＧＢの画像信号のうち、階調値が最小値又は中位値となる色の画像信号を用いて、前記Ｗの画像信号を決定する。このようにすることで、上記の液晶装置は、表示画面の輝度の向上を図ることができると共に、輝度信号を求めて当該輝度信号を基にＷの色の階調値を算出する方法を用いた一般的な液晶装置と比較して、前記表示画像変換部の回路構造又はプログラムを簡単にすることができる。
【０００８】
上記の液晶装置の他の一態様は、前記表示画像変換部は、前記ＲＧＢの画像信号より求められる前記ＲＧＢの階調値のうち、最小値となる階調値を前記Ｗの階調値として設定する。これにより、入力された画像信号が示す色が純色系の色の場合には、Ｗの色の画素は非透過状態となり光を透過することはないので、表示画面の純色系の色の明度・彩度を低下させることなく、純色系の色を鮮やかに表示することができる。
【０００９】
上記の液晶装置の他の一態様は、前記表示画像変換部は、前記ＲＧＢの画像信号より求められる前記ＲＧＢの階調値のうち、中位値となる階調値を前記Ｗの階調値として設定する。これにより、表示画面の輝度を向上させることができる。
【００１０】
上記の液晶装置の他の一態様は、前記表示画像変換部は、前記ＲＧＢの画像信号より求められる前記ＲＧＢの階調値のうち、最小値及び中位値となる階調値の間の補間値を前記Ｗの階調値として設定する。これにより、Ｗの色の画素を用いることによる純色系の色の明度・彩度の低下を抑えると共に、表示画面の輝度の向上を図ることができる。
【００１１】
上記の液晶装置の好適な実施例は、前記表示画像変換部は、（前記中位値−前記最小値）×Ａ（０＜Ａ＜１）＋前記最小値の値を前記Ｗの階調値として設定する。
【００１２】
上記の液晶装置の好適な実施例は、前記表示画像変換部は、Ａ＝０．５に設定されている。
【００１３】
本発明の他の観点では、上記の液晶装置を表示部に備えることを特徴とする電子機器を構成することができる。
【００１４】
本発明の他の観点では、１つの表示画素が、ＲＧＢ、及び、Ｗ（透明または白色）の４つのサブ画素より構成される液晶表示パネルと、入力されたＲＧＢの画像信号を基にＷの画像信号を決定して、前記液晶表示パネルへ出力する表示画像変換部と、を有する液晶装置の駆動方法は、前記表示画像変換部が、前記ＲＧＢの画像信号のうち、階調値が最小値又は中位値となる画像信号を用いて、前記Ｗの画像信号を決定する工程を備える。この方法によっても、一般的な手法である輝度信号を求めて当該輝度信号を基にＷの色の階調値を算出する方法と比較して、前記表示画像変換部の回路構造又はプログラムを簡単にすることができる。
【発明を実施するための最良の形態】
【００１５】
以下、図面を参照して本発明を実施するための最良の形態について説明する。
【００１６】
［第１実施形態］
まず、図１及び図２を参照して、第１実施形態に係る液晶装置１００の構成について説明する。
【００１７】
図１は、第１実施形態に係る液晶装置１００の概略構成を模式的に示す平面図である。図１では、紙面手前側（観察側）にカラーフィルタ基板９２が、また、紙面奥側に素子基板９１が夫々配置されている。なお、図１では、紙面縦方向（列方向）をＹ方向と、また、紙面横方向（行方向）をＸ方向と規定する。また、図１において、Ｒ（赤）、Ｇ（緑）、Ｂ（青）、Ｗ（透明または白色）に対応する各領域は１つのサブ画素ＳＧを示していると共に、ＲＧＢＷに対応する１行４列のサブ画素ＳＧは、１つの表示画素ＡＧを示している。
【００１８】
図２は、液晶装置１００における切断線Ａ−Ａ´に沿った１つの表示画素ＡＧの拡大断面図である。図２に示すように、液晶装置１００は、液晶表示パネル３０と、照明装置１０より構成される。液晶表示パネル３０は、素子基板９１と、その素子基板９１に対向して配置されるカラーフィルタ基板９２とが枠状のシール材５を介して貼り合わされ、そのシール材５の内側に液晶が封入されて液晶層４が形成されてなる。液晶表示パネル３０の素子基板９１の外面上には、液晶表示パネル３０を照明する照明装置１０が備えられる。
【００１９】
第１実施形態に係る液晶装置１００は、ＲＧＢＷの４色を用いて構成されるカラー表示用の液晶装置であると共に、スイッチング素子として例えばα−Ｓｉ型ＴＦＴ（Thin Film Transistor）素子を用いたアクティブマトリクス駆動方式の液晶装置である。
【００２０】
素子基板９１の平面構成について説明する。素子基板９１の内面上には、主として、複数のソース線３２、複数のゲート線３３、複数のα−Ｓｉ型ＴＦＴ素子３７、複数の画素電極３４、ドライバＩＣ４０、外部接続用配線３５及びＦＰＣ（Flexible Printed Circuit）４１などが形成若しくは実装されている。
【００２１】
図１に示すように、素子基板９１は、カラーフィルタ基板９２の一辺側から外側へ張り出してなる張り出し領域３１を有しており、その張り出し領域３１上には、ドライバＩＣ４０が実装されている。ドライバＩＣ４０の入力側の端子（図示略）は、複数の外部接続用配線３５の一端側と電気的に接続されていると共に、複数の外部接続用配線３５の他端側はＦＰＣ４１と電気的に接続されている。各ソース線３２は、Ｙ方向に延在するように且つＸ方向に適宜の間隔をおいて形成されており、各ソース線３２の一端側は、ドライバＩＣ４０の出力側の端子（図示略）に電気的に接続されている。
【００２２】
各ゲート線３３は、Ｙ方向に延在するように形成された第１配線３３ａと、その第１配線３３ａの終端部からＸ方向に延在するように形成された第２配線３３ｂとを備えている。各ゲート線３３の第２配線３３ｂは、各ソース線３２と交差する方向、即ちＸ方向に延在するように且つＹ方向に適宜の間隔をおいて形成されており、各ゲート線３３の第１配線３３ａの一端側は、ドライバＩＣ４０の出力側の端子（図示略）に電気的に接続されている。各ソース線３２と各ゲート線３３の第２配線３３ｂの交差に対応する位置にはα−ＴＦＴ素子３７が設けられており、各α−ＴＦＴ素子３７は各ソース線３２、各ゲート線３３及び各画素電極３４等に電気的に接続されている。
【００２３】
各α−ＴＦＴ素子３７及び各画素電極３４は、ガラスなどの基板１上の各サブ画素ＳＧに対応する位置に設けられている。各画素電極３４は、例えばＩＴＯ（Indium-Tin Oxide）などの透明導電材料により形成されている。なお、ここで、スイッチング素子としては、α−ＴＦＴ素子３７を用いるとしているが、これに限られず、代わりにポリシリコンＴＦＴやＴＦＤ（Thin Film Diode）素子を用いるとすることもできる。
【００２４】
１つの表示画素ＡＧがＸ方向及びＹ方向に複数個、マトリクス状に並べられた領域が有効表示領域Ｖ（２点鎖線により囲まれる領域）である。この有効表示領域Ｖに、文字、数字、図形等の画像が表示される。つまり、この有効表示領域Ｖが、液晶装置１００における表示画面の領域を示している。なお、有効表示領域Ｖの外側の領域は表示に寄与しない額縁領域３８となっている。また、各ソース線３２、各ゲート線３３、各α−ＴＦＴ素子３７、及び各画素電極３４等の内面上には、図示しない配向膜が形成されている。
【００２５】
次に、カラーフィルタ基板９２の平面構成について説明する。図２に示すように、カラーフィルタ基板９２は、ガラスなどの基板２上に、遮光層（一般に「ブラックマトリクス」と呼ばれ、以下では、単に「ＢＭ」と略記する）、Ｒ、Ｇ、Ｂの着色層６Ｒ、６Ｇ、６Ｂと、Ｗの透明又は白色部６Ｗ及び共通電極８などを有する。なお、透明又は白色部６Ｗは、例えば透明樹脂によって形成された層、もしくは何も設けない層とされる。ＢＭは、各サブ画素ＳＧを区画する位置に形成されている。ここでは、各色のサブ画素ＳＧについて、対応する色をカッコ付きで示している。
【００２６】
なお、以下の説明もしくは図面において、ＲＧＢの色を特定することなく構成要素を示す場合には、単に「着色層６」のように記し、ＲＧＢの色を区別して構成要素を示す場合には、例えば「着色層６Ｒ」のように記すこととする。
【００２７】
この着色層６Ｒ、６Ｇ、６Ｂと、透明又は白色部６Ｗがカラーフィルタを構成する。共通電極８は、画素電極３４と同様にＩＴＯなどの透明導電材料からなり、カラーフィルタ基板９２の略一面に亘って形成されている。共通電極８は、シール材５の隅の領域Ｅ１において配線３６の一端側と電気的に接続されていると共に、当該配線３６の他端側は、ドライバＩＣ４０のＣＯＭに対応する出力端子と電気的に接続されている。
【００２８】
液晶装置１００では、電子機器のメイン基板等と接続されたＦＰＣ４１側からの信号及び電力等に基づき、ドライバＩＣ４０によって、Ｇ１、Ｇ２、・・・、Ｇｍ−１、Ｇｍ（ｍは自然数）の順にゲート線３３が順次排他的に１本ずつ選択されるとともに、選択されたゲート線３３には、選択電圧のゲート信号が供給される一方、他の非選択のゲート線３３には、非選択電圧のゲート信号が供給される。そして、ドライバＩＣ４０は、選択されたゲート線３３に対応する位置にある画素電極３４に対し、表示内容に応じたソース信号を、それぞれ対応するＳ１、Ｓ２、・・・、Ｓｎ−１、Ｓｎ（ｎは自然数）のソース線３２及びα−ＴＦＴ素子３７を介して供給する。その結果、液晶層４の配向状態が制御され、液晶装置１００の表示状態が、非表示状態または中間表示状態に切り替えられることとなる。
【００２９】
次に、照明装置１０について説明する。照明装置１０は、導光板１１と光源部１２と反射シート１４より構成される。光源部１２は、導光板１１の端面に設置されている。光源部１２は、光源として複数のＬＥＤ１３を有している。複数のＬＥＤ１３としては、青色ＬＥＤからの青色光でＹＡＧ（イットリウム・アルミニウム・ガーネット）系蛍光体を励起し、それによって白色光を照射するシングルチップ方式の白色ＬＥＤを配列したものを用いても良いし、又は、ＲＧＢの夫々の色のＬＥＤを揃えて同時に発光および混光することによって白色光を出光するマルチチップ方式のものを用いても良い。反射シート１４は、導光板１１の液晶表示パネル３０側とは反対側の面に設置されている。
【００３０】
照明装置１０における複数のＬＥＤ１３より出光した白色光は、光源部１２より光Ｌとして、導光板１１の端面（以下、「入光端面」と称す）１１ｃに向けて出光する。光源部１２より出光した光Ｌは、導光板１１の入光端面１１ｃより導光板１１内へ入り、導光板１１の出光面１１ａ、反射面１１ｂで反射を繰り返すことにより方向を変え、導光板１１の出光面１１ａと光Ｌのなす角が臨界角を超えると、導光板１１の出光面１１ａから照明光Ｌｔとして図示しない光学シートを介して液晶表示パネル３０へ向けて夫々出光する。液晶装置１００は、照明光Ｌｔが液晶表示パネル３０を透過することによって照明される。これにより、液晶装置１００は、文字、数字、図形等の画像を表示することができ、観測者が画像を視認することができる。
【００３１】
なお、液晶装置１００としては、上述した実施形態のものには限られず、代わりに、ＲＧＢのサブ画素ＳＧ毎の画素電極３４上の一部の領域に光を反射する反射層が設けられた半透過反射型の液晶装置を用いることとしてもよい。
【００３２】
図３は、第１実施形態に係る液晶装置１００の回路構成を示す模式図である。液晶装置１００において、入力されたＲＧＢの各色の画像信号がＲＧＢＷの各色の画像信号に変換される場合、液晶装置１００は、表示画像変換部６１２を備える。表示画像変換部６１２は、パーソナルコンピュータなどの外部の表示画像出力源６１１より出力されたＲＧＢの各色の画像信号を、ＲＧＢＷの各色の画像信号に変換して、液晶表示パネル３０に出力する機能を有する。
【００３３】
表示画像変換部６１２は、例えば、ドライバＩＣ４０内部に備えられた回路であり、ＣＰＵ（Central Processing Unit）などの演算処理部６１２ａと、ＲＡＭ（Random Access Memory）などの記憶部６１２ｂとを備えて構成されている。演算処理部６１２ａは、表示画像出力源６１１より出力された入力画像のＲＧＢの各色の画像信号６１Ｒ、６１Ｇ、６１Ｂを、ＲＧＢＷの各色の画像信号６２Ｒ、６２Ｇ、６２Ｂ、６２Ｗに変換して、液晶表示パネル３０へ出力する。ここで、演算処理部６１２ａは、画像信号６１Ｒ、６１Ｇ、６１Ｂを基にＷの画像信号６２Ｗを決定する。なお、この表示画像変換部６１２は、回路ではなく、代わりに、例えば、ドライバＩＣ４０におけるＣＰＵがプログラムを実行することによって実現されるとしてもよい。
【００３４】
Ｗの色の階調値を算出する方法としては、特許文献１に示すように、入力画像の画像信号より輝度信号を求め、当該輝度信号を基にＷの色の画素の階調値を算出する方法が知られている。一方、本発明の液晶装置１００における表示画像変換部６１２は、ＲＧＢの画像信号のうち、階調値が最小値又は中位値となる色の画像信号を用いて、Ｗの画像信号を決定する。このようにすることで、表示画面の輝度を向上させることができると共に、輝度信号を求めて当該輝度信号を基にＷの色の階調値を算出する方法を用いた一般的な液晶装置と比較して、表示画像変換部６１２の回路構造又はプログラムを簡単にすることができる。以下では、Ｗの色の画像信号を求める具体的な方法について述べる。
【００３５】
（Ｗの色の画像信号を求める方法）
図４に示すフローチャートは、Ｗの色の画像信号を求める方法の処理について示すフローチャートである。
【００３６】
まず、表示画像変換部６１２は、ＲＧＢの各色の画像信号６１Ｒ、６１Ｇ、６１Ｂを基に、ＲＧＢの各色の階調値を求める（ステップＳ１１）。次に、表示画像変換部６１２は、ＲＧＢの各色の階調値のうち、最小値となる階調値を求める（ステップＳ１２）。表示画像変換部６１２は、最小値となる階調値をＷの色の階調値として設定する（ステップＳ１３）。表示画像変換部６１２は、当該設定されたＷの色の階調値を基に、Ｗの画像信号６２Ｗを生成して、液晶表示パネルへ出力する（ステップＳ１４）。
【００３７】
例えば、ＲＧＢの各色の階調値が、(Ｒ、Ｇ、Ｂ)＝(２５５、０、０)となる場合、即ち、入力された画像信号が赤色を表示するものである場合には、Ｗの色の階調値は、ＲＧＢの各色の階調値のうち、最小値たる０と設定される。即ち、Ｗの色のサブ画素ＳＧは、非透過状態に設定される。また、ＲＧＢの各色の階調値が、（Ｒ、Ｇ、Ｂ）＝（２５５、０、２５５）となる場合、即ち、入力された画像信号が紫色を表示するものである場合であっても、Ｗの色の階調値は、ＲＧＢの各色の階調値のうち、最小値たる０と設定される。つまり、第１実施形態に係る液晶装置１００では、入力された画像信号が示す色が純色系の色の場合には、Ｗの色のサブ画素ＳＧは非透過状態となり光を透過することはないので、表示画面に表示された純色系の色の明度・彩度を低下させずに済む。
【００３８】
このように、液晶装置１００は、Ｗの色の階調値を求める際、ＲＧＢの各色の階調値のうち、最小値となる階調値をＷの色の階調値として設定する方法を用いることにより、輝度信号を求めて当該輝度信号を基にＷの色の階調値を算出する方法を用いた一般的な液晶装置と比較して、表示画像変換部６１２の回路構造又はプログラムを簡単にすることができる。また、液晶装置１００は、上述したように、入力された画像信号が示す色が純色系の色の場合には、Ｗの色のサブ画素ＳＧは非透過状態となり光を透過することはないので、表示画面に表示された純色系の色の明度・彩度を低下させることなく、純色系の色を鮮やかに表示することができる。
【００３９】
（第１実施形態の変形例）
次に第１実施形態の変形例について述べる。上述の液晶装置１００は、ＲＧＢの各色の階調値のうち、最小値となる階調値をＷの色の階調値と設定するとしているが、これに限られるものではなく、代わりに、ＲＧＢの各色の階調値のうち、中位値となる階調値をＷの色の階調値と設定するとしてもよい。
【００４０】
このようにしても、液晶装置１００は、輝度信号を求めて当該輝度信号を基にＷの色の階調値を算出する方法を用いた一般的な液晶装置と比較して、表示画像変換部６１２の回路構造又はプログラムを簡単にすることができる。また、液晶装置１００は、ＲＧＢの各色の階調値のうち、中位値となる階調値をＷの色の階調値と設定することにより、上述の最小値をＷの色の階調値として設定する場合と比較して、表示画面の輝度を向上させることができる。
【００４１】
[第２実施形態]
次に、本発明の第２実施形態について述べることとする。上述の第１実施形態に係る液晶装置１００では、ＲＧＢの各色の階調値のうち、最小値又は中位値となる階調値のうち、いずれか一方をＷの色の階調値として設定することとしている。第２実施形態に係る液晶装置１００では、最小値又は中位値となる階調値のうち、いずれか一方をＷの色の階調値と設定する代わりに、最小値及び中位値となる階調値の間の補間値をＷの色の階調値として設定することとする。
【００４２】
補間値の具体的な算出方法としては、例えば、以下の補間式（１）を用いて算出することができる。
【００４３】
補間値＝（中位値−最小値）×Ａ＋最小値・・・（１）
ただし、ここで、媒介変数Ａの範囲は０＜Ａ＜１である。図５は、媒介変数Ａの値と補間値との関係について示すグラフである。図５において、グラフ５１は、式（１）のグラフを示している。図５に示すように、０＜Ａ＜１の場合、補間値の範囲は、最小値＜補間値＜中位値となる。媒介変数Ａの値は、観察者によって調節可能としてもよい。このようにすることで、観察者は、表示画面の輝度を自分の好みに合わせて調節することができる。また、補間値の算出方法としては、上述の式（１）を用いて算出する方法に限られるものではなく、代わりに、他の補間式を用いて補間値を算出する方法を用いてもよい。
【００４４】
第２実施形態に係る液晶装置１００では、最小値及び中位値となる階調値の間の補間値をＷの色の階調値として設定することにより、中位値をＷの色の階調値として設定する場合と比較して、Ｗの色のサブ画素ＳＧを用いることによる純色系の色の明度・彩度の低下を抑えることができると共に、最小値をＷの色の階調値として設定する場合と比較して、表示画面の輝度の向上を図ることができる。ここで、媒介変数の値としては特にＡ＝０．５とするのが好適である。図５に示すように、媒介変数Ａ＝０．５の場合には、補間値は中位値と最小値の間の中間値となる。
【００４５】
また、第２実施形態に係る液晶装置１００においても、輝度信号を求めて当該輝度信号を基にＷの色の階調値を算出する方法を用いた一般的な液晶装置と比較して、表示画像変換部６１２の回路構造又はプログラムを簡単にすることができる。
【００４６】
[変形例]
次に、各実施形態に係る液晶装置１００の変形例について述べる。本変形例は、具体的には、表示画素ＡＧにおけるサブ画素ＳＧの配列構成の変形例である。
【００４７】
図６（ｂ）〜（ｄ）は、表示画素ＡＧにおけるサブ画素ＳＧの配列構成の変形例を示す平面図である。夫々ハッチングされた領域が、夫々の色のサブ画素ＳＧの領域を示している。図６（ａ）は上述したサブ画素ＳＧの配列構成を示している。１つの表示画素ＡＧにおけるサブ画素ＳＧの配列構成としては、図６（ａ）に示す配列構成に限られるものではなく、代わりに、例えば、図６（ｂ）〜（ｄ）に示す配列構成とすることもできる。
【００４８】
図６（ｂ）に示す配列構成では、図に示すように、Ｗのサブ画素ＳＧは、Ｌ字型の形状をなしており、ＲＧＢの各色のサブ画素ＳＧに接する構成としている。図６（ｃ）に示す配列構成では、ＲＧＢＷの各色のサブ画素ＳＧを田の字型に配列する構成としている。また、図６（ｄ）に示す配列構成では、ＲＧＢＷの各色のサブ画素ＳＧをデルタ配列の構成としている。
【００４９】
[電子機器]
次に、上述した各実施形態に係る液晶装置１００を適用可能な電子機器の具体例について図７を参照して説明する。
【００５０】
まず、各実施形態に係る液晶装置１００を、可搬型のパーソナルコンピュータ（いわゆるノート型パソコン）の表示部に適用した例について説明する。図７（ａ）は、このパーソナルコンピュータの構成を示す斜視図である。同図に示すように、パーソナルコンピュータ７１０は、キーボード７１１を備えた本体部７１２と、本発明に係る液晶装置１００を適用した表示部７１３とを備えている。
【００５１】
続いて、各実施形態に係る液晶装置１００を、携帯電話機の表示部に適用した例について説明する。図７（ｂ）は、この携帯電話機の構成を示す斜視図である。同図に示すように、携帯電話機７２０は、複数の操作ボタン７２１のほか、受話口７２２、送話口７２３とともに、本発明に係る液晶装置１００を適用した表示部７２４を備える。
【００５２】
なお、各実施形態に係る液晶装置１００を適用可能な電子機器としては、図７（ａ）に示したパーソナルコンピュータや図７（ｂ）に示した携帯電話機の他にも、液晶テレビ、ビューファインダ型・モニタ直視型のビデオテープレコーダ、カーナビゲーション装置、ページャ、電子手帳、電卓、ワードプロセッサ、ワークステーション、テレビ電話、ＰＯＳ端末、ディジタルスチルカメラなどが挙げられる。
【図面の簡単な説明】
【００５３】
【図１】第１実施形態に係る液晶装置の平面図である。
【図２】第１実施形態に係る液晶装置の断面図である。
【図３】第１実施形態に係る液晶装置の回路構成を示す模式図である。
【図４】Ｗの色の画像信号を求める方法を示すフローチャートである。
【図５】補間式を示すグラフである。
【図６】各実施形態の液晶装置の変形例を示すサブ画素の平面図である。
【図７】各実施形態の液晶装置を適用した電子機器の例を示す図である。
【符号の説明】
【００５４】
１１  導光板、  １２  光源部、  １３  ＬＥＤ、  １４  反射シート、  １０  照明装置、  ３０  液晶表示パネル、  １００  液晶装置
【図１】
2008129030.tif 000003
【図２】
2008129030.tif 000004
【図３】
2008129030.tif 000005
【図４】
2008129030.tif 000006
【図５】
2008129030.tif 000007
【図６】
2008129030.tif 000008
【図７】
2008129030.tif 000009